【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
文書データ、画像データ、又は、音声データ、の少なくともいずれか一つ、若しくは、これらの組み合わせ、から構成されるマルチメディアデータを検索する情報処理装置であって、
検索対象となる前記マルチメディアデータを記憶する記憶手段と、
前記マルチメディアデータを検索するための検索条件を入力する入力手段と、
前記検索条件に基づいて、前記記憶手段からマルチメディアデータを検索する検索手段と、
前記検索手段によって検索結果として得られたマルチメディアデータを解析するための解析規則を保持する解析規則保持手段と、
前記検索条件に対応する解析規則を前記解析規則保持手段から選択し、その選択された解析規則に従って、前記検索手段で検索結果として得られたマルチメディアデータを解析する解析手段と、
前記検索結果として表示する内容を決定するための表示規則を保持する表示規則保持手段と、
前記検索条件に対応する表示規則を前記表示規則保持手段から選択し、その選択された表示規則と、前記解析手段の前記解析結果に基づいて、前記検索結果として表示する表示内容を決定する表示内容決定手段と、
前記表示内容決定手段で決定された表示内容に従って、前記検索結果を表示する検索結果表示手段と
を備えることを特徴とする情報処理装置。
【請求項２】
前記解析手段は、前記検索手段で検索結果として得られたマルチメディアデータを、その意味・内容に従って分類する分類手段と、
前記検索手段で検索結果として得られたマルチメディアデータと、前記分類手段で分類されたマルチメディアデータのグループについての関係付けを行う関係付け手段とを備え、
前記表示内容決定手段は、前記分類手段による分類結果及び前記関係付け手段による関係付け結果に基づいて、前記検索結果として表示する表示内容を決定する
ことを特徴とする請求項１に記載の情報処理装置。
【請求項３】
前記分類手段は、前記検索手段で検索結果として得られたマルチメディアデータを階層構造に従って分類し、
前記関係付け手段は、前記検索手段で検索結果として得られたマルチメディアデータと、前記分類手段で前記階層構造に従って階層的に分類されたマルチメディアデータのグループについての関係付けを行う
ことを特徴とする請求項２に記載の情報処理装置。
【請求項４】
前記解析手段は、前記マルチメディアデータを検索対象として前記記憶手段に記憶する時に解析を行い、その解析結果をメタデータとして前記マルチメディアデータに関連付け、
前記表示内容決定手段は、前記マルチメディアデータに関連付けられたメタデータに基づいて、前記検索結果として表示する表示内容を決定する
ことを特徴とする請求項２に記載の情報処理装置。
【請求項５】
前記表示規則は、前記マルチメディアデータ間の関係によってその提示順序を決定するための定義を含み、
前記表示内容決定手段は、前記関係付け手段の関係付け結果に基づいて、前記検索手段の検索結果として得られたマルチメディアデータの前記提示順序を決定する
ことを特徴とする請求項２に記載の情報処理装置。
【請求項６】
前記表示規則は、前記マルチメディアデータ間の関係と提示順序に対する優先度の定義を含み、
前記表示内容決定手段は、前記分類手段で分類されたマルチメディアデータのグループが、複数の前記検索手段の検索結果として得られたマルチメディアデータ及び前記分類手段で分類されたマルチメディアデータのグループと関係をもつ場合、前記優先度に基づいて、前記検索手段の検索結果として得られたマルチメディアデータの前記提示順序を決定する
ことを特徴とする請求項５に記載の情報処理装置。
【請求項７】
前記マルチメディアデータは、静止画像または動画像データであり、
前記検索結果表示手段は、前記表示内容決定手段で決定された表示内容に従って、前記検索結果である静止画像データまたは動画像データを連続的に再生表示する
ことを特徴とする請求項３に記載の情報処理装置。
【請求項８】
前記分類手段は、前記検索手段で検索結果として得られたマルチメディアデータである前記静止画像または前記動画データを、該静止画像または該動画データが属する共通因子を階層の単位とする階層構造に従って分類し、
前記関係付け手段は、前記検索手段で検索結果として得られたマルチメディアデータと、前記階層構造に従って階層的に分類されたマルチメディアデータのグループについての関係付けを行う
ことを特徴とする請求項７に記載の情報処理装置。
【請求項９】
前記表示規則は、更に、前記マルチメディアデータの種類に応じて、該マルチメディアデータと他のマルチメディアデータを連結するための定義を含み、
前記表示内容決定手段は、前記関係付け手段の関係付け結果に基づいて、前記検索手段の検索結果として得られたマルチメディアデータの前記提示順序を決定するとともに、前記表示規則を参照して、そのマルチメディアデータを連結する連結方法を決定する
ことを特徴とする請求項５に記載の情報処理装置。
【請求項１０】
前記表示内容決定手段は、更に、前記分類手段で分類されたマルチメディアデータのグループの提示順序と関係に基づいて、前記グループを連結する連結方法を決定する
ことを特徴とする請求項９に記載の情報処理装置。
【請求項１１】
前記分類手段は、前記検索手段で検索結果として得られたマルチメディアデータを階層構造に従って分類し、
前記関係付け手段は、前記検索手段で検索結果として得られたマルチメディアデータと、前記分類手段で前記階層構造に従って階層的に分類されたマルチメディアデータのグループについての関係付けを行う
ことを特徴とする請求項１０に記載の情報処理装置。
【請求項１２】
前記解析手段は、前記マルチメディアデータを検索対象として前記記憶手段に記憶する時に解析を行い、その解析結果をメタデータとして前記マルチメディアデータに関連付け、
前記表示内容決定手段は、前記マルチメディアデータに関連付けられたメタデータに基づいて、前記検索結果として表示する表示内容を決定する
ことを特徴とする請求項１０に記載の情報処理装置。
【請求項１３】
前記表示内容決定手段は、前記連結方法として、前記検索手段の検索結果として得られたマルチメディアデータの区切り、あるいは前記分類手段で分類されたマルチメディアデータのグループの区切りが明確になるように連結する連結方法を決定する
ことを特徴とする請求項１０に記載の情報処理装置。
【請求項１４】
前記表示内容決定手段は、前記連結方法として、更に、関連する他の前記マルチメディアデータとの関係や、前記分類手段で分類された、関連する他の前記マルチメディアデータのグループとの関係が明確になるように連結する連結方法を決定する
ことを特徴とする請求項１３に記載の情報処理装置。
【請求項１５】
前記表示内容決定手段は、前記連結方法として、更に、前記検索手段の検索結果として得られたマルチメディアデータと、前記分類手段で分類されたマルチメディアデータのグループが連続して表示されるか否かによって連結する連結方法を決定する
ことを特徴とする請求項１０に記載の情報処理装置。
【請求項１６】
前記表示内容決定手段は、前記連結方法として、更に、前記分類手段で前記階層構造にに従って階層的に分類されたマルチメディアデータのグループの階層に応じて連結する連結方法を決定する
ことを特徴とする請求項１１に記載の情報処理装置。
【請求項１７】
前記マルチメディアデータは、静止画像または動画像データであり、
前記検索結果表示手段は、前記表示内容決定手段で決定された表示内容に従って、前記検索結果である静止画像データまたは動画像データを連続的に再生表示する
ことを特徴とする請求項１１に記載の情報処理装置。
【請求項１８】
前記分類手段は、前記検索手段で検索結果として得られたマルチメディアデータである前記静止画像または前記動画データを、該静止画像または該動画データが属する共通因子を階層の単位とする階層構造に従って分類し、
前記関係付け手段は、前記検索手段で検索結果として得られたマルチメディアデータと、前記階層構造に従って階層的に分類されたマルチメディアデータのグループについての関係付けを行う
ことを特徴とする請求項１７に記載の情報処理装置。
【請求項１９】
前記検索手段の検索結果として得られたマルチメディアデータの重要度を識別する識別手段を更に備え、
前記表示内容決定手段は、前記検索条件に対応する表示規則を前記表示規則保持手段から選択し、その選択された表示規則と、前記解析手段の前記解析結果と、前記識別手段で識別された重要度とに基づいて、前記検索結果として表示する表示内容を決定する
ことを特徴とする請求項１に記載の情報処理装置。
【請求項２０】
前記解析手段は、前記検索手段で検索結果として得られたマルチメディアデータを、その意味・内容に従って分類する分類手段と、
前記検索手段で検索結果として得られたマルチメディアデータと、前記分類手段で分類されたマルチメディアデータのグループについての関係付けを行う関係付け手段とを備え、
前記表示内容決定手段は、前記分類手段による分類結果及び前記関係付け手段による関係付け結果に基づいて、前記検索結果として表示する表示内容を決定する
ことを特徴とする請求項１９に記載の情報処理装置。
【請求項２１】
前記分類手段は、前記検索手段で検索結果として得られたマルチメディアデータを階層構造に従って分類し、
前記関係付け手段は、前記検索手段で検索結果として得られたマルチメディアデータと、前記分類手段で前記階層構造に従って階層的に分類されたマルチメディアデータのグループについての関係付けを行う
ことを特徴とする請求項２０に記載の情報処理装置。
【請求項２２】
前記解析手段は、前記マルチメディアデータを検索対象として前記記憶手段に記憶する時に解析を行い、その解析結果をメタデータとして前記マルチメディアデータに関連付け、
前記表示内容決定手段は、前記マルチメディアデータに関連付けられたメタデータに基づいて、前記検索結果として表示する表示内容を決定する
ことを特徴とする請求項２０に記載の情報処理装置。
【請求項２３】
前記識別手段は、前記検索手段の検索時に得られる類似度及び前記マルチメディアデータに関連付けられている重要度の少なくとも１つ、あるいはこれらの組み合わせを用いて、前記マルチメディアデータの重要度を識別する
ことを特徴とする請求項２０に記載の情報処理装置。
【請求項２４】
前記表示規則は、前記マルチメディアデータ間の関係によってその提示順序を決定するための定義を含み、
前記表示内容決定手段は、前記分類手段の分類結果と、前記関係付け手段の関係付け結果と、前記識別手段で識別された重要度に基づいて、前記検索手段で検索結果として得られたマルチメディアデータの中から、表示するマルチメディアデータとその構成を決定し、更に、前記関係付け手段の関係付け結果と、前記重要度に基づいて、前記表示するマルチメディアデータの提示順序を決定する
ことを特徴とする請求項２０に記載の情報処理装置。
【請求項２５】
前記表示内容決定手段は、前記検索手段の検索結果として得られるマルチメディアデータの重要度に基づいて、そのマルチメディアデータ中の中心となるマルチメディアデータを表示要素として選択し、
前記分類手段の分類結果に基づいて、前記中心となるマルチメディアデータを含むマルチメディアデータのグループを決定し、更に、前記関係付け手段の関係付け結果に基づいて、前記各グループの中から前記中心となるマルチメディアデータと関連するマルチメディアデータを表示要素として選択する
ことを特徴とする請求項２４に記載の情報処理装置。
【請求項２６】
前記表示内容決定手段は、前記各グループの中から前記中心となるマルチメディアデータと関連するマルチメディアデータを表示要素として選択する場合は、更に、前記検索手段の検索結果として得られるマルチメディアデータの重要度に基づいて選択を行う
ことを特徴とする請求項２５に記載の情報処理装置。
【請求項２７】
前記表示規則は、前記マルチメディアデータ間の関係と提示順序に対する優先度の定義を含み、
前記表示内容決定手段は、前記選択された表示要素及び前記中心となるマルチメディアデータを含むマルチメディアデータのグループが、複数の表示要素あるいは前記中心となるマルチメディアデータを含むマルチメディアデータのグループと関係をもつ場合に、前記優先度、または前記優先度と前記マルチメディアデータの重要度に基づいて、前記表示するマルチメディアデータの提示順序を決定する
ことを特徴とする請求項２４に記載の情報処理装置。
【請求項２８】
前記マルチメディアデータは、静止画像または動画像データであり、
前記検索結果表示手段は、前記表示内容決定手段で決定された表示内容に従って、前記検索結果である静止画像データまたは動画像データを連続的に再生表示する
ことを特徴とする請求項２１に記載の情報処理装置。
【請求項２９】
前記分類手段は、前記検索手段で検索結果として得られたマルチメディアデータである前記静止画像または前記動画データを、該静止画像または該動画データが属する共通因子を階層の単位とする階層構造に従って分類し、
前記関係付け手段は、前記検索手段で検索結果として得られたマルチメディアデータと、前記階層構造に従って階層的に分類されたマルチメディアデータのグループについての関係付けを行う
ことを特徴とする請求項２８に記載の情報処理装置。
【請求項３０】
前記検索結果を表示する際の表示条件を設定する設定手段と、
前記検索手段の検索結果として得られたマルチメディアデータの重要度を識別する識別手段とを更に備え、
前記表示内容決定手段は、前記検索条件に対応する表示規則を前記表示規則保持手段から選択し、その選択された表示規則と、前記解析手段の前記解析結果と、前記設定手段で設定された表示条件と、前記識別手段で識別された重要度とに基づいて、前記検索結果として表示する表示内容を決定する
ことを特徴とする請求項１に記載の情報処理装置。
【請求項３１】
前記解析手段は、前記検索手段で検索結果として得られたマルチメディアデータを、その意味・内容に従って分類する分類手段と、
前記検索手段で検索結果として得られたマルチメディアデータと、前記分類手段で分類されたマルチメディアデータのグループについての関係付けを行う関係付け手段とを備え、
前記表示内容決定手段は、前記分類手段による分類結果及び前記関係付け手段による関係付け結果に基づいて、前記検索結果として表示する表示内容を決定する
ことを特徴とする請求項３０に記載の情報処理装置。
【請求項３２】
前記分類手段は、前記検索手段で検索結果として得られたマルチメディアデータを階層構造に従って分類し、
前記関係付け手段は、前記検索手段で検索結果として得られたマルチメディアデータと、前記分類手段で前記階層構造に従って階層的に分類されたマルチメディアデータのグループについての関係付けを行う
ことを特徴とする請求項３１に記載の情報処理装置。
【請求項３３】
前記解析手段は、前記マルチメディアデータを検索対象として前記記憶手段に記憶する時に解析を行い、その解析結果をメタデータとして前記マルチメディアデータに関連付け、
前記表示内容決定手段は、前記マルチメディアデータに関連付けられたメタデータに基づいて、前記検索結果として表示する表示内容を決定する
ことを特徴とする請求項３１に記載の情報処理装置。
【請求項３４】
前記識別手段は、前記検索手段の検索時に得られる類似度及び前記マルチメディアデータに関連付けられている重要度の少なくとも１つ、あるいはこれらの組み合わせを用いて、前記マルチメディアデータの重要度を識別する
ことを特徴とする請求項３１に記載の情報処理装置。
【請求項３５】
前記表示条件は、表示する前記検索結果全体のデータサイズ、表示時間の少なくともいずれか一つ、若しくはこれらの組み合わせである
ことを特徴とする請求項３１に記載の情報処理装置。
【請求項３６】
前記表示規則は、前記マルチメディアデータ間の関係によってその提示順序を決定するための定義を含み、
前記表示内容決定手段は、前記分類手段の分類結果と、前記関係付け手段の関係付け結果と、前記設定手段で設定された表示条件と、前記識別手段で識別された重要度とに基づいて、前記検索手段で検索結果として得られたマルチメディアデータの中から、表示するマルチメディアデータとその構成を決定し、
前記重要度と、前記表示条件の少なくともいずれか１つあるいはこれらの組み合わせと、前記関係付け手段の関係付け結果に基づいて、前記表示するマルチメディアデータの提示順序を決定する
ことを特徴とする請求項３１に記載の情報処理装置。
【請求項３７】
前記表示内容決定手段は、前記検索手段の検索結果として得られるされたマルチメディアデータの重要度に基づいて、そのマルチメディアデータ中の中心となるマルチメディアデータを表示要素として選択し、
前記分類手段の分類結果に基づいて、前記中心となるマルチメディアデータを含むマルチメディアデータのグループを決定し、
前記関係付け手段の関係付け結果と、前記設定手段で設定された表示条件とに基づいて、前記各グループの中から前記中心となるマルチメディアデータと関連するマルチメディアデータを表示要素として選択する
ことを特徴とする請求項３６に記載の情報処理装置。
【請求項３８】
前記表示内容決定手段は、前記各グループの中から前記中心となるマルチメディアデータと関連するマルチメディアデータを表示要素として選択する際に、更に、前記検索手段の検索結果として得られるマルチメディアデータの重要度に基づいて選択を行う
ことを特徴とする請求項３７に記載の情報処理装置。
【請求項３９】
前記表示内容決定手段は、前記表示条件が要約表示の場合、前記各グループの中から前記中心となるマルチメディアデータと関連するマルチメディアデータを表示要素として選択しない
ことを特徴とする請求項３６に記載の情報処理装置。
【請求項４０】
前記表示規則は、前記マルチメディアデータ間の関係と提示順序に対する優先度の定義を含み、
前記表示内容決定手段は、前記選択された表示要素や、前記中心となるマルチメディアデータを含むマルチメディアデータのグループが、複数の表示要素あるいは前記中心となるマルチメディアデータを含むマルチメディアデータのグループと関係をもつ場合に、前記マルチメディアデータの重要度、前記設定手段で設定された表示条件の少なくともいずれか１つあるいはこれらの組み合わせと、前記優先度とに基づいて、前記表示するマルチメディアデータの提示順序を決定する
ことを特徴とする請求項３６に記載の情報処理装置。
【請求項４１】
前記マルチメディアデータは、静止画像または動画像データであり、
前記検索結果表示手段は、前記表示内容決定手段で決定された表示内容に従って、前記検索結果である静止画像データまたは動画像データを連続的に再生表示する
ことを特徴とする請求項３２に記載の情報処理装置。
【請求項４２】
前記分類手段は、前記検索手段で検索結果として得られたマルチメディアデータである前記静止画像または前記動画データを、該静止画像または該動画データが属する共通因子を階層の単位とする階層構造に従って分類し、
前記関係付け手段は、前記検索手段で検索結果として得られたマルチメディアデータと、前記階層構造に従って階層的に分類されたマルチメディアデータのグループについての関係付けを行う
ことを特徴とする請求項４１に記載の情報処理装置。
【請求項４３】
文書データ、画像データ、又は、音声データ、の少なくともいずれか一つ、若しくは、これらの組み合わせ、から構成されるマルチメディアデータを記憶する記憶部から、マルチメディアデータを検索する情報処理装置を制御する制御方法であって、
前記マルチメディアデータを検索するための検索条件を入力する入力工程と、
前記検索条件に基づいて、前記記憶部からマルチメディアデータを検索する検索工程と、
前記検索工程によって検索結果として得られたマルチメディアデータを解析するための解析規則を記憶媒体に保持する解析規則保持工程と、
前記検索条件に対応する解析規則を前記解析規則保持工程で保持された記憶媒体から選択し、その選択された解析規則に従って、前記検索工程で検索結果として得られたマルチメディアデータを解析する解析工程と、
前記検索結果として表示する内容を決定するための表示規則を記憶媒体に保持する表示規則保持工程と、
前記検索条件に対応する表示規則を前記表示規則保持工程で保持された記憶媒体から選択し、その選択された表示規則と、前記解析工程の前記解析結果に基づいて、前記検索結果として表示する表示内容を決定する表示内容決定工程と、
前記表示内容決定工程で決定された表示内容に従って、前記検索結果を表示する検索結果表示工程と
を備えることを特徴とする情報処理装置の制御方法。
【請求項４４】
文書データ、画像データ、又は、音声データ、の少なくともいずれか一つ、若しくは、これらの組み合わせ、から構成されるマルチメディアデータを記憶する記憶部から、マルチメディアデータを検索することを、コンピュータに実行させるためのプログラムであって、
前記マルチメディアデータを検索するための検索条件を入力する入力工程と、
前記検索条件に基づいて、前記記憶部からマルチメディアデータを検索する検索工程と、
前記検索工程によって検索結果として得られたマルチメディアデータを解析するための解析規則を記憶媒体に保持する解析規則保持工程と、
前記検索条件に対応する解析規則を前記解析規則保持工程で保持された記憶媒体から選択し、その選択された解析規則に従って、前記検索工程で検索結果として得られたマルチメディアデータを解析する解析工程と、
前記検索結果として表示する内容を決定するための表示規則を記憶媒体に保持する表示規則保持工程と、
前記検索条件に対応する表示規則を前記表示規則保持工程で保持された記憶媒体から選択し、その選択された表示規則と、前記解析工程の前記解析結果に基づいて、前記検索結果として表示する表示内容を決定する表示内容決定工程と、
前記表示内容決定工程で決定された表示内容に従って、前記検索結果を表示する検索結果表示工程と
をコンピュータに実行させることを特徴とするプログラム。